【事件の表示】
　商願２０１６−　４６６５１拒絶査定不服審判事件について、次のとおり審決する。
【結　論】
　本件審判の請求は、成り立たない。
【理　由】
第１　本願商標
　本願商標は，「ハイブリッド化粧板」の文字を標準文字で表してなり，第１７類及び第１９類に属する願書に記載のとおりの商品を指定商品として，平成２８年４月２５日に登録出願され，その後，指定商品については，原審における同年１１月１１日受付の手続補正書により，第１９類「フェノール樹脂含浸化粧板，ポリエステル樹脂含浸化粧板，メラミン樹脂含浸化粧板，メラミン樹脂製不燃化粧板，合成樹脂を主材とする建築用化粧板」に補正されたものである。
第２　原査定の拒絶の理由の要点
　原査定は，「本願商標構成中，『ハイブリッド』の文字は，『異種のものを組みあわせたもの』の意を有する語であり，また，『化粧板』の文字は，『合板・パーティクルボード・金属板などのボード類の表面に，突板・印刷紙・塗料またはプリントなどでオーバーレイした材料で，ふつう表面材・鏡板などに使われる。』の意を有する語であるから，本願商標は，その第１９類の指定商品との関係からすれば，全体として『異種のものを組みあわせた化粧板』程の意味合いを容易に想起させる。また，建築に関する分野において，『ハイブリッド構造』の文字が，『２つ以上の材質をあわせお互いの短所を長所で補う構造のもの』の意を有する語として使用されており，また，本願の指定商品を取り扱う分野において，異種の素材を組みあわせてなる，各種建築材料が流通しており，これに『ハイブリッド』の文字が使用されている実情があることから，『ハイブリッド化粧板』の文字からなる本願商標は，その指定商品との関係において，全体として取引者，需要者に『異種のものを組合わせた化粧板』程の意味合いを容易に理解・認識させるにすぎないというべきである。そうすると，本願商標をその指定商品中の『異種のものを組合わせた化粧板』等の前記文字に相応する商品に使用するときには，単に商品の品質を表示するにすぎないものであるから，自他商品を区別するための識別標識としての機能を果たさないものというのが相当であり，前記商品以外の商品に使用するときは，商品の品質の誤認を生じさせるおそれがあるというのが相当である。したがって，本願商標は，商標法第３条第１項第３号に該当し，前記商品以外の商品に使用するときは，商品の品質の誤認を生じさせるおそれがあるので，同法第４条第１項第１６号に該当する。」旨を認定，判断し，本願を拒絶したものである。
第３　当審の判断
　１　商標法第３条第１項第３号及び同法第４条第１項第１６号該当性について
　本願商標は，「ハイブリッド化粧板」の文字からなるところ，その構成中の「ハイブリッド」の文字は「異種のものを組み合わせたもの」（「広辞苑　第六版」岩波書店）の意味を，また，「化粧板」の文字は「合板・パーティクルボード・金属板などのボード類の表面に，突板・印刷紙・塗料またはプリントなどでオーバーレイした材料で，ふつう表面材・鏡板などに使われる。」（「インテリアデザイン辞典　初版」朝倉書店）の意味をそれぞれ有する語として広く知られているものである。
　そうすると，「ハイブリッド化粧板」の文字からなる本願商標は，その構成文字から，「異種のものを組み合わせた化粧板」程の意味合いを容易に理解させるものである。
　そして，本願指定商品を取り扱う業界においては，異種の素材を組み合わせてなる，各種建築材料が流通しており，また，その建築材料について，「ハイブリッド」の文字が，「ハイブリッド○○」の形で「異種のものを組み合わせた○○」程の意味合いを有する語として，原審で示した事実のほか，以下のように建築材料等に使用されている実情がある。
（１）「ハイブリッド合板」の文字の使用（下線は合議体による。以下同じ。）
　《新聞記事》
　２０１０年３月２３日付け「日刊工業新聞」の１３頁には，「朝日ウッドテック，床材の規格品を環境配慮型に転換」の見出しのもと，「朝日ウッドテックは，持続可能な木質部材が製品体積の７０％以上のものをエコフロアーとしている。エコフロアーには森林管理協議会（ＦＳＣ）認証材や森林認証プログラム（ＰＥＦＣ）認証材を使用。認証材以外では，自然の生態系に配慮した持続的森林経営が行われている木や混農林業（アグロフォレストリー）で育てる早生植林木『ファルカータ』を
ハイブリッド合板
ハイブリッド合板
ハイブリッド合板
　《インターネット情報》
　ア　「ＦＲＰ素材屋さん」のウェブサイトには，「
ハイブリッド合板
（http://www.frpsozai.com/95_873.html）
　イ　「株式会社ヒラサワ」のウェブサイトの「掘り出し物，特価品，珍しモノ，銘木などの耳より情報」のページには，「表面もきれいな
ハイブリッド合板
ハイブリッド合板
ハイブリッド合板
（http://hirasawa-wood.com/mimiyori/2016/01/09/%E8%A1%A8%E9%9D%A2%E3%82%82%E3%81%8D%E3%82%8C%E3%81%84%E3%81%AA%E3%83%8F%E3%82%A4%E3%83%96%E3%83%AA%E3%83%83%E3%83%89%E5%90%88%E6%9D%BF%E3%81%AE%E5%8F%96%E3%82%8A%E6%89%B1%E3%81%84/）
　ウ　「株式会社ＬＩＸＩＬグループ」のウェブサイトの旧トステム（株）の情報に関するニュースリリースのページには，「基材に環境負荷の少ない植林木複合合板を使用した床材『ハーモニアスライト１２Ｅ』新発売」の見出しのもと，「“ファルカータ”は，5〜6年という短期間で成長するため，スギなどよりも短いサイクルで森林を維持しながら伐採・利用できる，森林資源の保護に貢献する早生樹です。『ハーモニアス ライト12E』はこの“ファルカータ”と，合法的に伐採された“ラワン”を組み合わせる『植林木複合合板（
ハイブリッド合板
（http://tostem.lixil.co.jp/newsrelease/2010/nr035.htm）
（２）「ハイブリッド仕上材」の文字の使用
　《インターネット情報》
　「建築知識ＷＥＢ」のウェブサイトの設計カタログのページには，「ＦＭＸ　Ｐａｉｎｔ（エフエムエックス・ペイント）」の見出しのもと，「無機材（セメント）と有機材（樹脂）のメリットを融合した
ハイブリッド仕上材
（http://www.xknowledge.co.jp/kenchi/kenzai_guide/2008/10/fmx-paint.html）
（３）「ハイブリッド集成材」の文字の使用
　《新聞記事》
　ア　２０１４年７月８日付け朝日新聞朝刊の２４頁には，「県産材の展示・商談会　スギの香り会場包む　１０月　東京　／秋田県」の見出しのもと，「１０月２〜１１日，東京・新宿のパークタワー１階のアトリウムを借り切って，約１万社を招待する。これまで東京でのジャパンホームショーに県ブースを出展したことはあるものの，県産材単独でこれだけの規模の展示・商談会を開くのは初めてだ。出展するのは，強度を増すための県産スギと北海道産カラマツの
ハイブリッド集成材
　イ　２０１１年１月７日付け日本経済新聞　地方経済面　栃木の４２頁には，「トーセン，国産杉とヒノキで集成材，強度，外国産材並みに。」の見出しのもと，「異なる種類の木の平板を接着剤などで１本の木材にしたものを『
ハイブリッド集成材
ハイブリッド集成材
ハイブリッド集成材
　ウ　２００７年２月２０日付け日本経済新聞　地方経済面 九州Ｂの１４頁には，「中国木材，伊万里工場を拡張，今秋稼働，国産使用の集成材増産。」の見出しのもと，「国内製材大手の中国木材（広島県呉市，堀川保幸社長）は，伊万里工場（佐賀県伊万里市）で木材加工の新工場を増設する。九州各地の国産材を使った集成材の生産を拡大する。外国産木材は需要拡大で値上がり傾向となっており，国産材の活用を進める。二〇〇六年に中小企業基盤整備機構から，既存工場に隣接する約十一万五千平方メートルの土地を購入した。第一期工事として敷地面積で約三万三千平方メートルの製材・加工工場を着工し，〇七年秋から順次操業を始める計画だ。伊万里工場では国産スギと米マツを五〇％ずつ合わせた『
ハイブリッド集成材
　エ　２００５年９月２８日付け日経産業新聞の２０頁には，「
ハイブリッド集成材
ハイブリッド集成材
ハイブリッド集成材
ハイブリッド集成材
　《インターネット情報》
　ア　「日本集成材工業協同組合」のウェブサイトの「造作材・構造材」のページには，「
ハイブリッド集成材
ハイブリッド集成材
（http://www.syuseizai.com/material02）
　イ　「株式会社宮盛」のウェブサイトの「お知らせ」のページにおいて，「新製品純国産ハイブリッド集成材『パワービーム』のご案内」の見出しのもと，「弊社は，このたび杉と唐松の組み合わせによる純国産材の『異樹種複合集成材』（通称名：純国産ハイブリッド集成材，商品名：パワービーム）を開発しました。国産材の集成材は，平成21年７月に杉の管柱のJASを取得し，同年10月に唐松の管柱と平成23年１月に梁（平角）のJASを取得しております。　今回，杉と唐松の
ハイブリッド集成材
（http://www.miyamori.co.jp/powerbeam.htm）
　ウ　「丸美産業株式会社」のウェブサイトの「企業情報　社屋案内」のページにおいて，「構造のご紹介　ハイブリッド集成材柱構造」の見出しのもと，「燃え止まり現象／
ハイブリッド集成材
（http://www.marumi.com/corporation/gallery.html）
　エ　「日本経済新聞」のＷＥＢサイトにおける２０１１年１月７付けの記事に，「トーセン，国産杉とヒノキで
ハイブリッド集成材
ハイブリッド集成材
ハイブリッド集成材
（https://www.nikkei.com/article/DGXNASFB0605E_W1A100C1L51000/）
（４）「ハイブリッド建材」の文字の使用
　《新聞記事》
　１９８３年４月１２日付け日経産業新聞の９頁には，「材料革命を担う複合建材（上）木&プラスチック――安定・加工・成型性を兼備。」の見出しのもと，「
ハイブリッド建材
　《インターネット情報》
　ア　「日本経済新聞」のウェブサイトにおける２０１７年７月１０日付け記事に，「ハイブリッド木質建材　高層への階段」の見出しのもと，「建設各社が木と燃えない鉄骨などを組み合わせた
ハイブリッド建材
（https://www.nikkei.com/article/DGXZZO18662490Q7A710C1000000/）
　イ　「ＫＯＵＣＨＩ　ＳＹＳＴＥＭ」のウェブサイトの「耐火&断熱」のページにおいて，「『壁』により家を守る！地震・火災に断然強い新素材・
ハイブリッド建材
ハイブリッド建材
ハイブリッド建材
ハイブリッド建材
（http://www.kouchisystem.co.jp/fireproof.html）
　ウ　「積水樹脂株式会社」のウェブサイトの「見切り材」の「製品構造」に関するページにおいて，「ステンレス泊＋アルミ型材　メタブライト」の説明として，「高アルミ型材をステンレス箔でラッピングするという，新しい発想の
ハイブリッド建材
（http://www.metacolor.jp/mikiri/structure/index.html）
　エ　「株式会社ハウスドゥ」のウェブサイトの「サイディングのこだわり」に関するページにおいて，「下地処理のこだわり　樹脂胴縁の使用」の見出しのもと，「水に強い
ハイブリッド建材
（http://gaihekiyane.bubun.jp/technic/sidingtec/）
　オ　「一般社団法人日本アルミニウム協会」のウェブサイトに掲載されている「『建築・建材展２０１２』ＪＡＰＡＮ ＳＨＯＰ ２０１２視察メモ」において，「【
ハイブリッド建材
（http://www.aluminum.or.jp/alken/cms/files/1331691463-siryo1.pdf）
（５）「ハイブリッド耐震パネル」の文字の使用
　《インターネット情報》
　ア　「杜和建設株式会社」のウェブサイトにおいて，「要望を予算内で丁寧に形にする努力　等身大モデルハウス２棟で体感」の見出しのもと，「構造は，木造軸組工法と
ハイブリッド耐震パネル
（http://www.towa-construction.jp/pdf/tyuumon_jyutaku171023.pdf）
　イ　「ＧＯＯＤ　ＤＥＳＩＧＮ　ＡＷＡＲＤ」のウェブサイトの２０１３年グッドデザイン賞を受賞した「建築構造　耐震要素［Ｓ＋Ｗ　ハイブリッド耐震パネル］」の紹介ページにおいて，その概要の説明として，「本構造システムは，EU圏では主流の木積層パネル（マッシブホルツ）を活用し，鋼構造体と木を組み合わせた，国内初『
ハイブリッド耐震パネル
（http://www.g-mark.org/award/describe/40366）
（６）「ハイブリッド壁材」の文字の使用
　《インターネット情報》
　ア　「ＲＡＫＵＴＥＮ」のウェブサイトにおいて，「壁材料・建材」のカテゴリで「珪藻（けいそう）土壁」として販売されている「珪藻土　壁材　けいそうエコジュラク・白壁用塗り替えプラスター１坪３．３ｍ２お試しセット　送料無料」の説明として，「珪藻土で吸着し，アルデヒド分解剤で化学的に分解・浄化・消臭する機能を兼ね備えた
ハイブリッド壁材
（https://item.rakuten.co.jp/kenzai-yamashita/sasia2/）
　イ　「温熱・陶板・健康サロンＥＶＥＲＧＲＥＥＮ」のウェブサイトにおいて，「陶板室内環境を整える天井，壁材」の見出しのもと，「珪藻土の調湿性に，漆喰の表面強度とアルカリ性を加え，ホタテ貝の吸着性を加えさらにバイオ効果を合わせてカビの発生を防ぐ
ハイブリッド壁材
（http://touban-salon.com/method/efficacy/）
（７）「ハイブリッド屋根材」の文字の使用
　《インターネット情報》
　ア　「デクラ屋根システム」のウェブサイトにおいて，「デクラ屋根システムについて　Ａｂｏｕｔ　Ｄｅｃｒａ」の見出しのもと「デクラ屋根システムはＡＨＩ　ＲＯＯＦＩＮＧの屋根材です。世界で初めてプレス成形加工の鋼板屋根材を開発したＡＨＩ　ＲＯＯＦＩＮＧは，リーディングサプライヤとして60年以上もの間，国際的な信頼と実績を培ってきました。そのＡＨＩ　ＲＯＯＦＩＮＧが提供する
ハイブリッド屋根材
（http://www.decra-roof.jp/about/）
　イ　「旭トステム外装株式会社」のウェブサイトの「屋根材」のページに掲載されている「天然石付き軽量ガルバリウム鋼板屋根材　『Ｔ・ルーフ』」の説明として，「丈夫で長持ち，リフォームにも最適な天然石チップ＋ガルバリウム鋼板の
ハイブリッド屋根材
（http://www.asahitostem.co.jp/product/yanezai/）
　ウ　「ｉＰＲＯＳ建築建材インテリア」のウェブサイトの「国産ハイブリッド屋根材『ストーンウェイブ（R）』」のページにおいて，その説明として「高次元で備えた石粒とガルバリウム鋼板による
ハイブリッド屋根材
（https://kensetsu.ipros.jp/product/detail/2000364306/）
（８）「ハイブリッド断熱材」の文字の使用
　《インターネット情報》
　ア　「新建ハウジングＤＩＧＩＴＡＬ」のウェブサイトにおいて，「アキレス，性能２５％向上した高性能
ハイブリッド断熱材
　イ　「新価値創造ＮＡＶＩ」のウェブサイトのウェブ展示会のページにある，「協同組合ティー・デイー・アール」の企業ＰＲとして，「次世代省エネ基準義務化に適合，
ハイブリッド断熱材
ハイブリッド断熱材
（https://shinkachi-sec.smrj.go.jp/navi/exhibition/528）
　ウ　「有限会社　南満工業」のウェブサイトの「断熱材＋遮熱塗料」のページにおいて，「Ｎｏ２断熱材各種施工例」に関する説明として，「特殊な断熱材　硬質ウレタンフォームとガルバリウム鋼板を接着させた
ハイブリッド断熱材
（http://ms7xqr.la.coocan.jp/contents8.html）
　そうすると，上記したインターネット情報や新聞記事によれば，「ハイブリッド合板」，「ハイブリッド仕上材」，「ハイブリッド集成材」，「ハイブリッド建材」，「ハイブリッド耐震パネル」，「ハイブリッド壁材」，「ハイブリッド屋根材」，「ハイブリッド断熱材」などのように「ハイブリッド○○」の使用例の存在を多数確認できることからすると，取引者，需要者は，これらの使用例において，「異種のものを組み合わせた○○」のように理解し，それぞれ商品名や商品の品質を表示したものとして認識するものと認めることができる。
　そうすれば，「ハイブリッド化粧板」の文字からなる本願商標は，これをその指定商品に使用したときは，「異種のものを組み合わせた化粧板」という商品の品質を表したものとして理解するにとどまり，自他商品の識別標識としては認識し得ないものといわざるを得ない。
　してみれば，本願商標は，その商品の品質を普通に用いられる方法で表示する標章のみからなる商標というのが相当であり，上記商品以外の指定商品に使用するときは，商品の品質の誤認を生ずるおそれがあるものというのが相当である。
　したがって，本願商標は，商標法第３条第１項第３号及び同法第４条第１項第１６号に該当する。
　２　請求人の主張について
（１）請求人は，「実際に言葉（熟語）として，『ハイブリッド化粧板』が理解され，確立されているという事実はない。そのため，『ハイブリッド化粧板』がある一つの商品を表す言葉として，建築に関する分野や業界において確立され使用あるいは流通しているのであればまだしも，そのような事実がない以上，本願商標を以て，単に商品の品質を普通に用いられる方法で表示する商標と言うことはできない」旨を主張している。
　しかしながら，商標法第３条第１項第３号については，「商標法３条１項３号は，取引者，需要者に指定商品の品質等を示すものとして認識され得る表示態様の商標につき，それ故に登録を受けることができないとしたものであって，該表示態様が商品の品質を表すものとして必ず使用されるものであるとか，現実に使用されている等の事実は，同号の適用において必ずしも要求されないものと解すべきである。」（平成１２年（行ケ）第７６号，平成１２年９月４日 東京高等裁判所判決）と判示されているものである。
　してみれば，「ハイブリッド化粧材」の文字が，本願指定商品を取り扱う分野において，取引上普通に使用されていないとしても，該文字は，上記１のとおり，「異種のものを組み合わせた化粧板」であるとの商品の品質を表示したものとして，取引者，需要者に認識される構成態様からなる商標であるから，これを登録することはできないものである。
　したがって，請求人の上記主張は，採用することができない。
（２）請求人は，「一口に『化粧板』と言っても，そこで使用される基材としては合板，パーティクルボード，金属板に加え，ＭＤＦのような木材ファイバーボード，ケイカル板や石膏ボードなどの無機基材，メラミン化粧板やジアリルフタレート化粧板のようなプラスチック有機基材等様々であり，更に使用用途によって難燃性，耐久性，耐候性，耐水性，耐薬品性等，求められる性能が全く異なるため，その組合わせにより膨大な種類に上る。そのため，仮に本願商標を『異種のものを組合せた化粧板』という意味に取ったとしても，それが如何なる商品を表すものであるか定かではないし，またどのような材料を組合せたのかも定かではない。それ故，取引者，需要者が，本願商標をみて具体的にどのような化粧板を示すものと理解することも，通常はありえない。」旨を主張している。
　しかしながら，上記１のとおり，本願商標は，その構成文字の意味から理解される内容は明らかであり，その構成文字や表現方法も特異なものではなく，本願指定商品を取り扱う業界において，「ハイブリッド」の文字が，「ハイブリッド○○」の形で「異種のものを組み合わせた商品」であることを指称する文字として多数使用されていることからすれば，本願商標をその指定商品に使用したときには，これに接する需要者，取引者は，どのような材料を組み合わせたか商品かどうか，どのような用途でどのような性能が求められた商品なのかということではなく，「異種のものを組み合わせた化粧板」であるという商品の品質を理解するにとどまるのであって，自他商品の識別標識としては認識し得ないものであるというのが相当である。
　したがって，請求人の上記主張は，採用することができない。
３　まとめ
　以上のとおり，本願商標は，商標法第３条第１項第３号及び同法第４条第１項第１６号に該当し，登録することができない。
　よって，結論のとおり審決する。